(57)【要約】【課題】  他の端末に装着された媒体に記憶された情報を編集可能とすることにより、利便性の向上を図ることのできる携帯端末を提供する。【解決手段】  SIM１を装着したSIM対応端末２とSIM非対応端末３との間でデータ授受を行う携帯端末システムにおいて、端末３はSIM１のSIM情報を端末２を介して受信すると共に、端末３において変更したSIM情報を端末２を介してSIM１に更新するため、SIM1の情報を使用する端末２、３の間で、常に最新のSIM情報を扱うことができる。さらに、端末２および端末３において、SIM１のSIM情報はその構成要素であるフィールド単位で管理されるため、SIM情報の更新を、フィールド単位で行うことができる。【選択図】  図１
2006157685.tif 000002
【特許請求の範囲】
【請求項１】
脱着可能な記憶媒体から情報を取得する取得部と、
前記取得した情報をその取得日時と共に記憶する記憶部と、
前記記憶媒体の情報に対して更新すべき情報をその更新日時と共に受信する受信部と、
前記記憶部に記憶された情報と前記受信部によって受信された情報とのどちらが最新であるか判定する判定部と、
前記判定部による判定の結果、前記受信部によって受信された情報が最新である場合、前記記憶媒体の情報を前記最新の情報に更新する更新部を
備えることを特徴とする端末装置。
【請求項２】
請求項１に記載の端末装置であって、
前記記憶部に記憶された情報を送信する送信部を
さらに備えることを特徴とする端末装置。
【請求項３】
請求項１あるいは２に記載の端末装置であって、
前記記憶媒体はSIMであることを特徴とする端末装置。
【請求項４】
受信部にて受信された情報を記憶する記憶部と、
前記記憶部に記憶された情報を表示する表示部と、
前記記憶部に記憶された情報に対して更新すべき情報を入力する入力部と、
前記更新された情報を送信する送信部を備え、
前記情報は、主情報とその主情報が生成された日時を示す情報を含むことを特徴とする端末装置。
【請求項５】
請求項４に記載の端末装置であって、
前記送信部は、請求項１ないし３の何れかの端末装置に送信することを特徴とする端末装置。
【請求項６】
請求項４あるいは５に記載の端末装置であって、
前記情報はSIMの情報であることを特徴とする端末装置。
【発明の詳細な説明】
【技術分野】
【０００１】
本発明は、SIM(Subscriber Identification Module)カード等に記憶されている情報を処理する機能分離型の携帯端末に関する。
【背景技術】
【０００２】
従来、通信端末とその通信端末への着信を報知する別体の携帯端末とで構成される携帯端末システムが知られている。
【０００３】
例えば、特許文献１には、SIMに対応した通信端末に着信した情報を、この通信端末に脱着可能な接続端末を介して、別の携帯端末から閲覧できる技術が開示されている。この携帯端末は、SIMの識別情報を格納しており、通信端末に対してこの識別情報を送信して自機が通信端末によって認証された後、通信端末に着信した情報を受信するものであり、例えば、移動体電話端末に接続端末を付加し、接続端末と携帯端末との間で通信ができる状態にし、また、移動体電話端末と基地局との間でリンクチャネルを確立することで、基地局から着呼が送信されると、移動体電話端末を介して携帯端末に着呼通知信号が送信されるともに、表示部に着信情報を表示させることで、移動体電話端末を鞄等から取り出すことなく、携帯端末から着信情報を確認することが可能となる。
【０００４】
ここで、SIM（SIMカード）とは、欧州のＧＳＭ方式携帯電話でも採用されている着脱式ID機能付の端末に着脱可能なモジュールであり、従来の端末IDと１対１であった電話番号の代わりに、加入者IDを端末IDとは独立に設けて、これをICカード（Smart Card)など電子モジュール(SIMカード）に電子認証機能とともに格納したものである。ユーザは、このSIMカードを端末に装着や挿入して、他の携帯端末やレンタル端末、又は公衆電話や共用電話、海外での他方式の携帯電話を利用して電話をかければ、同じ加入者IDに課金され、自分の口座から料金支払いができるようになっている。
【０００５】
SIMカードにおいて、各種データは内部のEEPROM記憶領域に記憶される。
【０００６】
この記憶領域は、図８の如く、加入者IDをはじめとする識別用データを記憶する識別情報記憶部７１とアドレス帳などのユーザデータ記憶部７２を備える。
【０００７】
SIM情報と称されるデータは、ユーザデータ記憶部７２のレコード記憶部７３にレコードとして記憶され、このレコードは、データ番号フィールド８０、データフィールド８１、データコードフィールド８２、名前フィールド８３、データタイプフィールド８４のデータを含む。
【０００８】
データ番号フィールド８０は、レコードごとに”１”から順にシーケンシャルに割り振られた番号が付される。この番号は、レコードを識別するためのインデックスとして用いられる。
【０００９】
データフィールド８１は、データ本体であり、文字あるいは数字からなる列から構成される。データタイプフィールド８４が示すデータタイプにより、データフィールド８１に入るデータの種類が決まる。具体的には、電話番号、Eメールアドレス、あるいはIMアドレスなどが格納される。
【００１０】
データコードフィールド８２には、データフィールド１２４に電話番号が格納されている場合のみ、国内なら”１２９”、国外なら”１４７”という値が格納され、それ以外のデータの場合は”０”が格納される。
【００１１】
名前フィールド８３には、そのレコードデータが誰のものであるかを示す名前（ニックネーム）が格納される。例えば、”Becky”さんの電話番号レコードの場合、その名前フィールドには”Becky”などの文字列が格納される。
【００１２】
データタイプフィールド８４には、このレコードデータの種類を表す数字が格納される。現在、”０〜９”の１０種類のデータタイプが定義されている。たとえば、”０”は電話番号（メイン）、”１”は電話番号（仕事）、”２”は電話番号（家）、”３”はEメールアドレス、”４”は電話番号（携帯）、”５”はFAX番号、”６”はページャ番号、”７”は名、”８”は姓、”９”はIMアドレス、等を示す。
【特許文献１】特開２０００−６９１４９号公報
【発明の開示】
【発明が解決しようとする課題】
【００１３】
しかしながら、このような従来の携帯端末システムは、携帯端末から通信端末に装着されたSIMの情報を閲覧することはできるが、携帯端末からSIM情報を更新する機能を備えておらず、したがって、SIM情報を更新する場合には、SIMに対応した通信端末を直接操作しなければならず、利便性に関しては未だ満足すべきものではなかった。
【００１４】
本発明は、このような事情を考慮してなされたものであり、その目的は、携帯端末において、他の端末に装着された媒体に記憶された情報を編集可能とすることにより、利便性の向上を図ることのできる通信端末を提供することである。
【課題を解決するための手段】
【００１５】
上記課題に鑑み、本発明はそれぞれ以下の特徴を有する。
【００１６】
請求項１の発明は、端末装置であって、脱着可能な記憶媒体から情報を取得する取得部と、前記取得した情報をその取得日時と共に記憶する記憶部と、前記記憶媒体の情報に対して更新すべき情報をその更新日時と共に受信する受信部と、前記記憶部に記憶された情報と前記受信部によって受信された情報とのどちらが最新であるか判定する判定部と、前記判定部による判定の結果、前記受信部によって受信された情報が最新である場合、前記記憶媒体の情報を前記最新の情報に更新する更新部を備えることを特徴とする。
【００１７】
この特徴により、前記受信部によって受信された情報と前記記憶部に記憶された情報のどちらが最新であるか判定し、前記受信部によって受信された情報が最新の情報であるとき、記憶媒体の情報を前記最新のデータに更新することができるため、旧データに代わって最新データを利用することができる。
【００１８】
請求項２の発明は、請求項１に記載の端末装置であって、前記記憶部に記憶された情報を送信する送信部をさらに備えることを特徴とする。
【００１９】
この特徴により、前記記憶部に記憶された情報を送信することができ、その結果、送信先においても、前記記憶部に記憶された情報を利用することができる。
【００２０】
請求項３の発明は、請求項１あるいは２に記載の端末装置であって、前記記憶媒体はSIMであることを特徴とする。
【００２１】
この特徴により、端末装置に装着されたSIMに記憶された情報を取得し、これを利用することができる。
【００２２】
請求項４の発明は、端末装置であって、受信部にて受信された情報を記憶する記憶部と、前記記憶部に記憶された情報を表示する表示部と、前記記憶部に記憶された情報に対して更新すべき情報を入力する入力部と、前記更新された情報を送信する送信部を備え、前記情報は、主情報とその主情報が生成された日時を示す情報を含むことを特徴とする。
【００２３】
この特徴により、受信した情報を記憶し、さらにこの情報を編集することができると共に、更新された情報を送信することができるため、送信元に最新のデータを提供することができる。
【００２４】
請求項５の発明は、請求項４に記載の端末装置であって、前記送信部は、請求項１ないし３の何れかの端末装置に送信することを特徴とする。
【００２５】
この特徴により、請求項１ないし３の何れかの端末装置に最新のデータを提供することができる。
【００２６】
請求項６の発明は、請求項４あるいは５に記載の端末装置であって、前記情報はSIMの情報であることを特徴とする。
【００２７】
この特徴により、端末装置に装着されたSIMに記憶された情報を取得し、これを利用することができる。
【発明の効果】
【００２８】
本発明によれば、携帯端末において、他の端末に装着された媒体に記憶された情報を編集可能とし、その編集した情報を他の端末に装着された記憶媒体に更新することにより、利便性の向上を図ることができる。
【発明を実施するための最良の形態】
【００２９】
本発明の実施の形態について、図を参照しながら以下に説明する。
【００３０】
図１は、本実施の形態における携帯端末システムの構成例を示す図である。このシステムは、加入者識別モジュールSIM１を装着した端末２、端末３を備え、端末２と端末３は通信によって接続されている。
【００３１】
SIM１は、上述のSIM（SIMカード）である。
【００３２】
端末２は、SIM１を装着可能な携帯型の端末であり、SIM１に記憶された情報を参照や編集することが可能である。また、無線等の通信で、端末３とデータ授受が可能である。
【００３３】
端末３は、端末２と無線等の通信でデータ授受が可能な端末である。この端末３は、端末２と異なり、SIM１には対応していない。
【００３４】
図２は、SIMに対応した端末２の構造を示す図である。端末２は、記憶部２０、送受信部２１、操作部２２、表示部２３、制御部２４を含み、SIM１が着脱可能な構造になっている。
【００３５】
記憶部２０は、ユーザを識別する情報やアドレス帳などのデータ（以下、SIM情報と称す）を所定の形式にて記憶する。
【００３６】
送受信部２１は、端末間の通信を制御する。この送受信部２１の通信形態や方式に関しては、無線／有線、通信プロトコル等は問わない。
【００３７】
操作部２２は、動作指示や情報の入力など、ユーザによる入力を制御する。
【００３８】
表示部２３は、記憶部１０に記憶されたデータやユーザへ入力を促すメッセージ等を表示する。
【００３９】
制御部２４は、端末２の各構成要素を統括的に制御する。
【００４０】
図３は、SIMに対応していない端末３の構造を示す図である。端末３は、記憶部３０、送受信部３１、操作部３２、表示部３３、制御部３４を含む。
【００４１】
記憶部３０は、端末２より取得したSIM情報を所定の形式にて記憶する。
【００４２】
送受信部３１は、端末間の通信を制御する。この送受信部３１の通信形態や方式に関しては、無線／有線、通信プロトコル等は問わない。
【００４３】
操作部３２は、動作指示や情報の入力など、ユーザによる入力を制御する。
【００４４】
表示部３３は、記憶部１０に記憶されたデータやユーザへ入力を促すメッセージ等を表示する。
【００４５】
制御部３４は、端末２の各構成要素を統括的に制御する。
【００４６】
ここで、端末２の記憶部に記憶されるSIMデータの形式について図４に基づいて説明する。
【００４７】
端末２にSIMカード１が装着されると、端末２は、SIMカード１に記憶されているSIMデータを読み出し、これを記憶部２０に記憶する。このとき、SIM情報は、SIMカード１に記憶されているレコード形式から、フィールド形式に変換されて記憶される。
【００４８】
すなわち、端末２の記憶部２０には、図８に示すユーザデータ記憶部７２の各レコード記憶部７３が含む、データ番号フィールド８０、データフィールド８１、データコードフィールド８２、名前フィールド８３、データタイプフィールド８４のデータが、それぞれデータ番号フィールド記憶部２００、データフィールド記憶部２０１、データコードフィールド記憶部２０２、名前フィールド記憶部２０３、データタイプフィールド記憶部２０４に記憶されると共に、これらの各フィールド記憶部２００〜２０４のデータを更新した時刻、例えば、SIMカード１から読出し記憶した日時が各フィールドタイムスタンプ記憶部２１０〜２１４に記憶される。
【００４９】
なお、SIMに対応していない端末３においても、端末２と同様に、図４に示す形式にてSIM情報が記憶部３０に記憶される。
【００５０】
斯かる構成に基づき、本実施形態の動作について説明する。
【００５１】
SIM対応端末２からSIM１のSIM情報を参照あるいは更新する動作については、従前と同様であるので説明を省略する。
【００５２】
図５は、SIM非対応端末３からSIM１のSIM情報を参照する動作を示している。
【００５３】
SIM１がSIM対応端末２に装着されると、端末２の制御部２４は、SIM１内に記憶されたSIM情報を読み出し、これを記憶部２０に上述の形式にて記憶する（ｓ１００）。
【００５４】
例えば、図６（ａ）は、図８に示すSIM情報のデータ番号フィールドの値が”１”の情報が、SIM１から、”２００４年９月１０日１５時２０分”に読み出されて記憶された場合の、記憶部２０に格納されるSIM情報の一例である。各記憶部２００〜２０４には、SIM１から取得された情報が格納され、各記憶部２１０〜２１４には、SIM１からデータが取得されて記憶部２０に格納された日時が格納されている。
【００５５】
この状態において、端末３がSIM１の内容を閲覧する場合、制御部３４の制御に従い、送受信部３１が、SIM対応端末２の送受信部２１との間で無線による通信を確立させる（ｓ１０２）。
【００５６】
続いて、端末３の送受信部３１は、確立した通信路を介して、端末２の制御部２４の制御に従って端末２の記憶部２０から読み出されたSIM情報を受信し、これを記憶部３０に上述の形式にて記憶する（ｓ１０４）。
【００５７】
そして、端末３では、制御部３４が記憶部３０に記憶されたSIM情報を読み出し、これを表示部３３に表示する（ｓ１０６）。
【００５８】
上記Ｓ１００〜Ｓ１０６の手順により、端末３はSIM１に記憶されているSIM情報を取得し、表示する。
【００５９】
さらに、端末３では、自身の記憶部３０に記憶されたSIM情報をもとにして、操作部３２からのユーザの操作によりSIM情報を編集することができる。
【００６０】
例えば、図６（ｂ）は、図６（ａ）のSIM情報を、”２００４年１０月２２日８時５０分”に、データフィールド記憶部２０１を”０９０２３４５６７８９”に変更した場合の、記憶部３０に格納されるSIM情報の一例である。フィールド記憶部２０１のデータは、変更された情報が格納されており、また、フィールド記憶部２０１に対応するタイムスタンプ記憶部２１１は、データが変更された日時が格納されている。
【００６１】
図７は、端末３で編集されたSIM情報をSIM１に更新する動作を示している。
【００６２】
端末３において、制御部３４が、図５のｓ１０４において記憶された時点から変更されたSIM情報を検出する（ｓ２００）。そして、この変更されたSIM情報をレコード単位で送受信部３１を介して端末２に送信する。このとき、レコードを構成する各フィールドに対応するタイムスタンプも共に送信する（ｓ２０２）。
【００６３】
端末２では、送受信部２１を介して、端末３にて変更されたSIM情報およびタイムスタンプを取得し、制御部２４は、端末３から取得したSIM情報と自身の記憶部２０に記憶されているSIM情報とを比較する。この比較では各フィールドのタイムスタンプを比較し、この結果、日時が新しい方のデータを更新すべき最新のデータとする（ｓ２０４）。
【００６４】
ここで前述の例を用いると、端末２の制御部２４は、図６（ａ）に示されたフィールド単位のSIM情報と、端末３から送信された図６（ｂ）に示されたフィールド単位のSIM情報とを、各フィールドに対応するタイムスタンプを比較する。この結果、端末３から送信されたSIM情報のタイムスタンプ記憶部２１１のタイムスタンプが更新されていることから、このタイムスタンプの対応するフィールド記憶部２０１が変更されていることを検出し、これを更新すべきデータと決定する。
【００６５】
このようにして更新すべきデータが決まると、端末２の制御部２４は、この更新すべきデータをレコード単位でSIM１に書き戻す（ｓ２０６）。
【００６６】
端末２の制御部２４は、SIM１のSIM情報を更新すると、再びSIM１内に記憶されたSIM情報を読み出し、これを記憶部２０に所定の形式にて記憶する（ｓ２０８）。
【００６７】
続いて、端末３の制御部３４は、確立された通信路を介して、端末２の記憶部２０に記憶されたSIM情報を、自身の記憶部３０に所定の形式にて記憶し（ｓ２１０）、続いてこれを読み出して表示部３３に表示する（ｓ２１２）。
【００６８】
上記実施の形態によれば、以下の通りの作用効果を奏する。
（１）SIM１を装着したSIM対応端末２とSIM非対応端末３との間でデータ授受を行う携帯端末システムにおいて、端末３はSIM１のSIM情報を端末２を介して受信すると共に、端末３において変更したSIM情報を端末２を介してSIM１に更新するため、SIM1の情報を使用する端末２、３の間で、常に最新のSIM情報を扱うことができる。
（２）端末２および端末３において、SIM１のSIM情報はその構成要素であるフィールド単位で管理されるため、SIM情報を更新する場合、変更されたデータをフィールド単位で更新することができる。
【００６９】
以上により、SIM非対応端末３においても、SIM１のSIM情報を変更することができ、利便性の向上を図ることができる。さらに、端末２や端末３などの各々の端末においてレコード単位でSIM情報を変更した場合に発生しうるSIM情報の非同期状態を回避することができ、SIM情報の同期性を容易に保つことができる。
【００７０】
以上、本発明に係る実施の形態について説明したが、本発明は、かかる実施の形態に限定されるものではなく、他に種々の変更が可能であることは言うまでもない。
【００７１】
上記実施の形態では、端末間の通信を無線LAN・赤外線通信等の無線による通信としたが、例えば、ケーブルを用いた有線による通信であってもよい。
【００７２】
また、上記実施の形態では、SIM非対応の携帯型端末３を1台を用いた構成としたが、複数の端末３を用いる構成であってもよい。
【００７３】
また、上記実施の形態では、アドレス帳等のSIM情報を端末間でそのまま転送しているが、これを暗号化したものや所定の符号化処理を施したものを転送するようにしてもよい。
【００７４】
また、上記実施の形態では、端末３の動作開始時に端末２が既に動作中であり、端末２を介してSIM１からSIM情報を受信するようにしたが、端末２が休止状態であり、端末２を介してSIM１からSIM情報を受信できない場合でも、端末３は、前回にSIM１から受信したSIM情報をベースとして動作を開始するようにしてもよい。
【００７５】
また、上記実施の形態では、SIM情報が変更された場合、SIM１にSIM情報を更新するようにしたが、SIM情報が変更されたことを検出して、どのデータを最新データとしてSIMに登録するかをユーザに問い合わせるようにしてもよい。この場合には、タイムスタンプに代わって、データ更新の有無を示すフラグを用いるようにしてもよい。
【００７６】
本実施の形態は、あくまでも、本発明の一つの実施形態であって、本発明ないし各構成要件の用語の意義等は、本実施の形態に記載されたものに制限されるものではない。
【図面の簡単な説明】
【００７７】
【図１】本実施の形態の携帯端末システムの構成例を示す図である。
【図２】図１に示す端末２の構成を示すブロック図である。
【図３】図１に示す端末３の構成を示すブロック図である。
【図４】図１に示す端末２において記憶される情報の一例を示す図である。
【図５】図１に示す携帯端末システムにおける動作を概略的に示す図である。
【図６】図１に示す端末２において記憶される情報の一例を示す図である。
【図７】図１に示す携帯端末システムにおける動作を概略的に示す図である。
【図８】SIMに記憶される情報の一例を示す図である。
【符号の説明】
【００７８】
１    SIM
２    SIM対応端末
３    SIM非対応端末
【図１】
2006157685.tif 000003
【図２】
2006157685.tif 000004
【図３】
2006157685.tif 000005
【図４】
2006157685.tif 000006
【図５】
2006157685.tif 000007
【図６】
2006157685.tif 000008
【図７】
2006157685.tif 000009
【図８】
2006157685.tif 000010